(57)【要約】【課題】引寄せ用ボルトを回転させても本体部が共回りしないようにした一方の連結対象物と他方の連結対象物との連結構造の提供。【解決手段】取付孔２ａへ挿着する本体部２１と、取付孔３ａを介して本体部２１へ挿入する引寄せ用ボルト２３とを備え、本体部２１は、鍔部２４と、挿入支持部２５と、挿入支持部２５の内側に納まる収納状態から挿入支持部２５の外側へ突出した突出状態まで移動が可能な係止部２７とを有し、ボルト２３を挿通部２４ａ、２５ａへ挿通して雌ねじ部２７ａに螺合させ回転させることで突出状態にした係止部２７を取付孔２ａの周縁部一方側２ａ−１に当接させた手洗い器２と背板３との連結構造において、本体部２１は手洗い器２の取付孔２ａに嵌入する嵌入部２６が設けられ、取付孔２ａ及び嵌入部２６の形状は、嵌入部２６が取付孔２ａの挿通方向の中心線の回りを回転しないようにしたこと。【選択図】図７
2008144845.tif 000002
【特許請求の範囲】
【請求項１】
一方の連結対象物の取付孔へ他方側から一方側へ向かって挿着する本体部と、他方の連結対象物の取付孔を介して本体部へ挿入する引寄せ用ボルトとを備え、本体部は、一方の連結対象物の取付孔周縁部の他方側に当接して引っ掛かる鍔部と、鍔部から延設する挿入支持部と、挿入支持部に設けられ、挿入支持部の内側に納まる収納状態から挿入支持部の外側へ突出し一方の連結対象物の取付孔の孔径よりも大径になる突出状態まで引寄せ用ボルトの操作で変形又は移動が可能な係止部とを有し、引寄せ用ボルトを鍔部及び挿入支持部に形成した挿通部へ挿通して、引寄せ用ボルトを係止部に形成した雌ねじ部に螺合させ回転させることで突出状態にした係止部を一方の連結対象物の取付孔周縁部の一方側に当接させて両方の連結対象物を連結する連結構造において、本体部は一方の連結対象物の取付孔に嵌入する嵌入部が設けられ、これら取付孔及び嵌入部の形状は、引寄せ用ボルトを回転させたときに嵌入した嵌入部が取付孔の挿通方向の中心線の回りを回転しないように形成してあることを特徴とする一方の連結対象物と他方の連結対象物との連結構造。
【請求項２】
一方の連結対象物の取付孔へ他方側から一方側へ向かって挿着する本体部と、他方の連結対象物の取付孔を介して本体部へ挿入する引寄せ用ボルトとを備え、本体部は、一方の連結対象物の取付孔周縁部の他方側に当接して引っ掛かる鍔部と、鍔部から延設する挿入支持部と、挿入支持部に設けられ、挿入支持部の内側に納まる収納状態から挿入支持部の外側へ突出し一方の連結対象物の取付孔の孔径よりも大径になる突出状態まで引寄せ用ボルトの操作で変形又は移動が可能な係止部とを有し、引寄せ用ボルトを鍔部及び挿入支持部に形成した挿通部へ挿通して、引寄せ用ボルトを係止部に形成した雌ねじ部に螺合させ回転させることで突出状態にした係止部を一方の連結対象物の取付孔周縁部の一方側に当接させて両方の連結対象物を連結する連結構造において、前記鍔部の当接面を粘着面とし、前記鍔部の当接面を引寄せ用ボルトを回転させたときに本体部が回転しないように一方の連結対象物に貼着したことを特徴とする一方の連結対象物と他方の連結対象物との連結構造。
【請求項３】
前記鍔部は、当接面側に介在物を添着し、介在物に前記粘着面とした当接面を形成した請求項２記載の一方の連結対象物と他方の連結対象物との連結構造。
【発明の詳細な説明】
【技術分野】
【０００１】
本発明は、衛生陶器等からなる一方の連結対象物と、キャビネットや取付板等からなる他方の連結対象物とを連結させるための連結構造の改良に関する。
【背景技術】
【０００２】
特許文献１に記載された連結装置は、一方の連結対象物（手洗器）の取付孔へ他方側から一方側へ向かって挿着する本体部と、他方の連結対象物（背板）の取付孔を介して本体部へ挿入する引寄せ用ボルトとを備えている。
【特許文献１】特開２００２−４７８号公報
【０００３】
前記本体部は、一方の連結対象物の取付孔周縁部の他方側に当接して引っ掛かる鍔部と、鍔部から延設する挿入支持部と、挿入支持部に設けられ、挿入支持部の内側に納まる収納状態から挿入支持部の外側へ突出し一方の連結対象物の取付孔の孔径よりも大径になる突出状態まで引寄せ用ボルトの操作で移動が可能な係止部とを有する。
【０００４】
前記連結装置は、引寄せ用ボルトを鍔部及び挿入支持部に形成した挿通部へ挿通して、引寄せ用ボルトを係止部に形成した雌ねじ部に螺合させ回転させることで突出状態にした係止部を一方の連結対象物の取付孔周縁部の一方側に当接させて両方の連結対象物を連結するようにしてある。
【０００５】
前記連結装置は、一方の連結対象物の取付孔へ他方側から一方側へ向かって本体部の挿入支持部を挿入し、他方の連結対象物の取付孔を介して本体部へ挿入した引寄せ用ボルトの操作で係止部を収納状態から突出状態まで移動させ、係止部の雌ねじ部に螺合させた引寄せ用ボルトを回転させて締結することで、係止部を他方の連結対象物側へ引寄せ、一方の連結対象物の取付孔周縁の一方側と他方の連結対象物の取付孔周縁の他方側とを突出状態の係止部と引寄せ用ボルトの頭側とで挟持して連結している。
【発明の開示】
【発明が解決しようとする課題】
【０００６】
しかし、一方の連結対象物の取付孔の孔周縁と他方の連結対象物との間に隙間がある場合には、引寄せ用ボルトを回転させたとき、本体部が共回りして連結作業ができないことがある。
【０００７】
本発明は、上記課題を解決するために、一方の連結対象物の取付孔の孔周縁と他方の連結対象物との間に隙間がある場合であっても、引寄せ用ボルトを回転させても本体部が共回りしないようにした一方の連結対象物と他方の連結対象物との連結構造の提供を目的とする。
【課題を解決するための手段】
【０００８】
引寄せ用ボルトを回転させても本体部が共回りしないようにするために請求項１記載の本発明が採用した手段は、一方の連結対象物の取付孔へ他方側から一方側へ向かって挿着する本体部と、他方の連結対象物の取付孔を介して本体部へ挿入する引寄せ用ボルトとを備え、本体部は、一方の連結対象物の取付孔周縁部の他方側に当接して引っ掛かる鍔部と、鍔部から延設する挿入支持部と、挿入支持部に設けられ、挿入支持部の内側に納まる収納状態から挿入支持部の外側へ突出し一方の連結対象物の取付孔の孔径よりも大径になる突出状態まで引寄せ用ボルトの操作で変形又は移動が可能な係止部とを有し、引寄せ用ボルトを鍔部及び挿入支持部に形成した挿通部へ挿通して、引寄せ用ボルトを係止部に形成した雌ねじ部に螺合させ回転させることで突出状態にした係止部を一方の連結対象物の取付孔周縁部の一方側に当接させて両方の連結対象物を連結する連結構造において、本体部は一方の連結対象物の取付孔に嵌入する嵌入部が設けられ、これら取付孔及び嵌入部の形状は、引寄せ用ボルトを回転させたときに嵌入した嵌入部が取付孔の挿通方向の中心線の回りを回転しないように形成してあることを特徴とする一方の連結対象物と他方の連結対象物との連結構造である。
【０００９】
引寄せ用ボルトを回転させても本体部が共回りしないようにするために請求項２記載の本発明が採用した手段は、一方の連結対象物の取付孔へ他方側から一方側へ向かって挿着する本体部と、他方の連結対象物の取付孔を介して本体部へ挿入する引寄せ用ボルトとを備え、本体部は、一方の連結対象物の取付孔周縁部の他方側に当接して引っ掛かる鍔部と、鍔部から延設する挿入支持部と、挿入支持部に設けられ、挿入支持部の内側に納まる収納状態から挿入支持部の外側へ突出し一方の連結対象物の取付孔の孔径よりも大径になる突出状態まで引寄せ用ボルトの操作で変形又は移動が可能な係止部とを有し、引寄せ用ボルトを鍔部及び挿入支持部に形成した挿通部へ挿通して、引寄せ用ボルトを係止部に形成した雌ねじ部に螺合させ回転させることで突出状態にした係止部を一方の連結対象物の取付孔周縁部の一方側に当接させて両方の連結対象物を連結する連結構造において、前記鍔部の当接面を粘着面とし、前記鍔部の当接面を引寄せ用ボルトを回転させたときに本体部が回転しないように一方の連結対象物に貼着したことを特徴とする一方の連結対象物と他方の連結対象物との連結構造である。
【００１０】
引寄せ用ボルトを回転させても本体部が共回りしないようにするために請求項３記載の本発明が採用した手段は、前記鍔部は、当接面側に介在物を添着し、介在物に前記粘着面とした当接面を形成した請求項２記載の一方の連結対象物と他方の連結対象物との連結構造である。
【００１１】
なお、請求項２記載の本発明には、本体部と、本体部へ挿入する引寄せ用ボルトとを備え、本体部は、他方側に設けられた鍔部と、鍔部よりも小径であって鍔部から一方側へ延設する挿入支持部と、挿入支持部に設けられ、挿入支持部の内側に納まる収納状態から挿入支持部の外側へ突出した突出状態まで引寄せ用ボルトの操作で変形又は移動が可能な係止部とを有し、引寄せ用ボルトを他方側から鍔部及び挿入支持部に形成した挿通部へ挿通して、引寄せ用ボルトを係止部に形成した雌ねじ部に螺合させ回転させることで突出状態にした係止部を鍔部に近づける連結装置において、前記鍔部の一方側に粘着面を形成し、前記鍔部は引寄せ用ボルトを回転させたときに本体部が回転しないように鍔部を粘着面で貼着できることを特徴とする連結装置が採用される。
【００１２】
この連結装置は、請求項３記載の本発明に採用できるように、前記鍔部は、一方側に介在物を添着し、介在物の一方側に前記粘着面を形成することもある。
【発明の効果】
【００１３】
請求項１記載の本発明に係る一方の連結対象物と他方の連結対象物との連結構造は、一方の連結対象物の取付孔が本体部に設けた嵌入部の回転を阻止するので、引寄せ用ボルトを回転させても本体部が回転せず、円滑に連結作業ができる。
【００１４】
請求項２及び３記載の本発明に係る一方の連結対象物と他方の連結対象物との連結構造は、鍔部の当接面が粘着力により一方の連結対象物に貼着されるので、引寄せ用ボルトを回転させても本体部が回転せず、円滑に連結作業ができる。又、本体部を一方の連結対象物の取付孔へ挿着したときに、本体部の鍔部を一方の連結対象物に貼着させて仮止めすることができるので、本体部が一方の連結対象物の取付孔から外れる心配がなく連結作業がしやすい。
【発明を実施するための最良の形態】
【００１５】
本発明に係る一方の連結対象物と他方の連結対象物との連結構造（以下、「本発明連結構造」という。）について実施の形態を示す図面に基いて説明する。
【００１６】
（第1の実施の形態）
図１乃至図７は、本発明連結構造の第１の実施の形態を示すものである。図１は手洗い装置１を部分的に断面し、一方の連結対象物（手洗い器２）と他方の連結対象物（取付用背板３）とを連結装置２０で連結した状態を示す縦断面図である。図２は手洗い器２を裏面側となる他方側から見た斜視図であって、同図右下側に取付孔２ａと、該取付孔２ａに挿着される前の連結装置２０とが分離して示されており、同図左下側に取付孔２ａに挿着された後の連結装置２０が示されている。図３は、手洗い装置１の要部を拡大した拡大縦断面図であって、図（Ａ）は挿着された本体部２１に引寄せ用ボルト２３を挿通する前の状態を示したものであり、図（Ｂ）は引寄せ用ボルト２３を本体部２１に挿通した後、係止部２７の押圧面２７ｃに当接させて押圧した状態を示したものであって、実線で示す係止部２７は収納状態にあり、破線で示す係止部２７は収納状態から回動して突出状態に向かう途中である。図４は、連結装置２０の分解斜視図であり、図中左から右に向かって順に本体部２１、ワッシャー２２及び引寄せ用ボルト２３が図示されている。図５は、連結装置２０の本体部２１の分解斜視図である。図６は、連結装置２０の要部を拡大した拡大斜視図であり、引寄せ用ボルト２３を本体部２１に挿通して係止部２７に押し付け、係止部２７を突出状態にした様子を示したものである。図７は、一方の連結対象物（手洗い器２）と他方の連結対象物（取付用背板３）とを破断し、本発明連結構造１０の要部を拡大した斜視図であって、連結装置２０が一方の連結対象物（手洗い器２）の取付孔２ａの周縁部一方側２ａ−２と他方の連結対象物（取付用背板３）の取付孔３ａの周縁部他方側３ａ−１とを突出状態の係止部２７と引寄せ用ボルト２３の頭部とで挟持して両方の連結対象物２、３を連結した状態を示すものである。
【００１７】
本発明連結構造１０は、図１に示す如く、手洗い装置１の手洗い器２と取付用背板３とを連結装置２０で連結してある。手洗い装置１は、手洗い器２と、手洗い器２が連結される取付用背板３と、手洗い器２を載置する支持板４と、手洗い器２から下方に延設した排水用配管５等が設けられたものであって、手洗い器２を一方の連結対象物に採用すると共に、取付用背板３を他方の連結対象物に採用したものである。前記手洗い器２は、陶器製又は樹脂製であり、上方が開放された手洗い部６と、内側に連結装置挿入空間Ｓ１が形成されて手洗い部６を支持する環状の台座部７とからなる。前記台座部７と取付用背板３との間には隙間Ｓ２が形成されている。前記台座部７は、取付用背板３に面する側に取付孔２ａが設けられ、取付孔２ａが連結装置挿入空間Ｓ１と隙間Ｓ２とを連通している。この取付孔２ａは、図２に示す如く、寸法の異なる内径を有する形状（例えば、長径と短径の２つの内径を有する長孔の形成）としている。一方、前記取付用背板３は、木質等から成形され、図１に示す如く、前記取付孔２ａに対応する取付孔３ａが設けられており、取付孔３ａが隙間Ｓ２と背板３の他方側とを連通している。
【００１８】
前記連結装置２０は、図１及び図７に示す如く、一方の連結対象物（手洗い器２）の取付孔２ａへ他方側Ａから一方側Ｂへ向かって挿着する本体部２１と、ワッシャー２２と、取付用背板３の取付孔３ａを介して本体部２１へ挿入する引寄せ用ボルト２３とを備える。
【００１９】
前記連結装置２０の本体部２１は、図７に示す如く、一方の連結対象物（手洗い器２）の取付孔２ａの周縁部他方側２ａ−１に当接面が当接して引っ掛かる鍔部２４と、鍔部２４から一方側Ｂへ向かって延設する挿入支持部２５とを有している。該挿入支持部２５は、鍔部２４から延設する嵌入部２６と、嵌入部２６から更に延設する案内部２８と、案内部２８で案内される係止部２７とを備えている。
【００２０】
前記嵌入部２６は、嵌入する前記取付孔２ａと対応するようになっており、取付孔２ａの短径よりも嵌入部２６の長径を大きくしてある。これにより、取付孔２ａに嵌入した嵌入部２６が取付孔２ａの挿通方向の中心線の回りを回転しないようになる。なお、取付孔２ａに角孔を採用すると共に嵌入部２６を該角孔よりも若干小さい角柱状に形成したり、取付孔２ａの内周面側に凹部を形成すると共に嵌入部２６の外周面側に該凹部に嵌入できる凸部を形成したりすることもある。嵌入部２６の短径を取付孔２ａの短径よりも若干大きい寸法にする等して嵌入部２６を取付孔２ａに締りばめ状態で保持すれば、本体部２１を取付孔２ａに仮止めして抜け落ちないようにできる。
【００２１】
前記案内部２８は、係止部２７を導く係止部用通路２９と、係止部２７の軸部２７ｂを摺動案内する軸案内用溝３０、３０とが開設されている。
【００２２】
前記係止部用通路２９は、係止部２７を収納することができ、又、係止部２７を突出状態にしたまま取付用背板３側（他方側）へ向かって移動できるようにしてある。係止部用通路２９は、その周縁に、収納状態の係止部２７に設けた係止凸部２７ｄを係止できる係止凹部３１を備えている。
【００２３】
前記軸案内用溝３０は、図４及び図５に示す如く、係止部２７の側面略小判形状の軸部２７ｂを回動自在に支持する回動溝３２、３２と、軸部２７ｂの回動を阻止した状態で軸部２７ｂを前方の先端側から後方の基端側へ向かう前後方向に摺動案内する摺動溝３３、３３とが形成されており、側面略十字状になっている。前記摺動溝３３、３３は、図５に示す如く、軸部２７ｂの長径よりも短く且つ軸部２７ｂの短径とほぼ同一の幅Ｗ１で前後水平に延びた横長状に形成されているので、軸部２７ｂの回動を阻止した状態で前後に摺動案内できる。軸案内用溝３０で案内される係止部２７は、引寄せ用ボルト２３で押し付けて軸部２７ｂを回動溝３２、３２に回転案内することで、突出状態に保持することができ、又、軸部２７ｂを各摺動溝３３に摺動案内することで、取付用背板３側（他方側）に引き寄せることができる。
【００２４】
前記係止部２７は、挿入支持部２５の内側に納まる収納状態（図４参照）から挿入支持部２５の外側へ突出し手洗い器２の取付孔２ａの孔径よりも大径になる突出状態（図６及び図７参照）まで引寄せ用ボルト２３の操作で移動が可能である。係止部２７は、図５に示す如く、略正方形の横断面を有する柱状であり、突出状態で挿通部２４ａ、２５ａに挿通した引寄せ用ボルト２３を螺合できる雌ねじ部２７ａが貫通して形成されており、雌ねじ部２７ａの両端開口から各々９０°離れた両側面から突出した前記軸部２７ｂと、引寄せ用ボルト２３の先端により押圧される押圧面２７ｃ、２７ｅと、係止凸部２７ｄとを備えている。軸部２７ｂの短径方向は、係止部２７の柱方向に平行となっている。押圧面２７ｅは、その端側に収納状態で引寄せ用ボルト２３の挿通方向に対して直角にならないように傾斜した傾斜面が形成されており、引寄せ用ボルト２３の先端がこの傾斜面に当接して押圧すると収納状態の係止部２７が回動する。
【００２５】
前記引寄せ用ボルト２３は、鍔部２４及び挿入支持部２５に形成した挿通部２４ａ、２５a（図４及び図５参照）へ挿通して係止部２７の押圧面２７ｅ、２７ｃを押圧して、係止部２７を収納状態から回動して係止可能な突出状態へ反転させた後に、引寄せ用ボルト２３を係止部２７の雌ねじ部２７ａに螺合させ回転させることで係止部２７を一方側から他方側へ移動させて係止部２７から鍔部２４までの距離を変化できるようにしてある（図１及び図３（Ｂ）参照）。
【００２６】
なお、本例の係止部２７は、収納状態から突出状態に回動した後に前後へ摺動するタイプのものを採用したが、これに限らず、図示は省略したが、係止部は、先端側の雌ねじ部と基端側の鍔部との間に中間を折曲げ自在に連結したリンクを２組設け、各組のリンクの両端を雌ねじ部と嵌入部に連接する連結部とに連結し、雌ねじ部と鍔部との間の距離が縮まるように圧縮変形したときに取付孔２ａのよりも大きく拡径するタイプのものを採用することも可能である。
【００２７】
次に、連結装置２０を用いた連結方法について、本例の手洗い装置１における手洗い器２と取付用背板３との連結を例に挙げて説明する。
【００２８】
先ず、図２中の右側に示す如く、収納状態にした連結装置２０の本体部２１を手洗い器２の取付孔２ａに挿入して、同図２中の左側及び図３（Ａ）に示す如く、本体部２１の嵌入部２６を取付孔２ａに嵌入させる。連結装置２０は、嵌入した嵌入部２６が取付孔２ａの挿通方向の中心線の回りを回転しないように取付孔２ａで保持される。
【００２９】
続いて、ワッシャー２２を挿着した引寄せ用ボルト２３の軸部先端側を取付孔３ａに挿入して推し進め、ボルト２３の先端を係合部の押圧面２７ｃ、２７ｅに当接して押圧する。これにより、図３（Ｂ）の破線に示す如く、押圧した押圧面２７ｃ、２７ｅが収納状態にある係止部２７を回動する。更に、引き続きボルト２３を推し進めていくと、係止部２７が突出状態になると共にボルト２３の先端が雌ねじ部２７ａの開口に突き合わさる。
【００３０】
雌ねじ部２７ａの開口に突き合わせたボルト２３を螺合させて回転操作することで、図１及び図７に示す如く、係止部２７を背板３側に引き寄せていく。このとき、本例では、嵌入部２６が取付孔２ａの挿通方向の中心線の回りを回転しないように取付孔２ａで嵌入保持されているので、本体部２１がボルト２３と一緒に共回りするのを阻止できる。
【００３１】
前記ボルト２３の回転操作を継続し、図７に示す如く、手洗い器２の取付孔２ａの周縁部一方側２ａ−２と取付用背板３の取付孔３ａの周縁部他方側３ａ−１との間を、係止部２７とボルト２３の頭側で押圧されるワッシャー２２とで挟持した状態にして係止部２７を取付用背板３側へ引寄せ、手洗い器２と取付用背板３との連結を完了する。ボルト２３は、手洗い器２と取付用背板３とが最適な状態で連結されるように最適なトルクで締め付けられる。
【００３２】
（第２の実施の形態）
図８乃至図１０は本発明連結構造の第２の実施の形態を示すものである。図８は、手洗い装置１を部分的に断面し、一方の連結対象物（手洗い器２）と他方の連結対象物（取付用背板３）とを連結装置６０を用いて連結した状態を示す縦断面図である。図９は、一方の連結対象物（手洗い器２）と他方の連結対象物（取付用背板３）とを破断し、本発明連結構造５０の要部を拡大して示した斜視図であって、連結装置６０により一方の連結対象物（手洗い器２）の取付孔２ａの周縁部一方側２ａ−２と他方の連結対象物（取付用背板３）の取付孔３ａの周縁部他方側３ａ−１とを突出状態の係止部２７と引寄せ用ボルト２３の頭側とで挟持して連結した状態を示すものである。図１０は、連結装置６０を示すものであり、図（Ａ）は連結装置６０の本体部２１に外嵌した介在物７０を添着した状態を示す斜視図であって係止部２７を突出状態にしたものであり、図（Ｂ）は連結装置６０の本体部２１と介在物７０とを分離した分解斜視図であって収納状態の係止部２７を示すものである。
【００３３】
本実施の形態に係る本発明連結構造５０が第１の実施の形態の本発明連結構造１０と大きく相違する点は、第１の実施の形態の本発明連結構造１０に設けられている嵌入部を省略し、連結装置６０の鍔部２４の当接面側に添着した介在物７０に粘着面とした当接面を形成し、鍔部２４を引寄せ用ボルト２３を回転させたときに本体部２１が回転しないように一方の連結対象物（手洗い器２）に貼着したことである。
【００３４】
このように構成することで、鍔部２４の当接面が粘着面により本体部２１が回転しないように一方の連結対象物（手洗い器２）に貼着されるので、引寄せ用ボルト２３を回転させても本体部２１が回転しない。又、本体部２１を一方の連結対象物（手洗い器２）の取付孔２ａへ取付孔２ａ表側から挿着したときに、本体部２１の鍔部２４を一方の連結対象物（手洗い器２）に貼着させて仮止めすることができるので、本体部２１が一方の連結対象物（手洗い器２）の取付孔２ａから外れる心配がなく連結作業がしやすい。
【００３５】
本例の介在物７０は、スポンジや、エラストマー等からなる厚みが１〜３ｍｍ程度の主体部７３と、主体部７３の表裏両面に設けた粘着層とからなり、一方の連結対象物（手洗い器２）の取付表面に凹凸があっても、この凹凸を吸収するように変形することができる固さに主体部７３を形成してある。このようにすることで、粘着面全体が介在物７０により均等にムラ無く押圧されるので、介在物７０を一方の連結対象物（手洗い器２）に強く貼着させることができる。
【００３６】
介在物７０は、鍔部２４の大きさに合わせた環状の円盤状に形成された主体部７３の表裏両面側に、図１０（Ｂ）に示す如く、両面が粘着面となっている粘着シート７１、７２が貼り付けられている。連結作業前の連結装置６０は、介在物７０の粘着面にセパレート紙を貼って保管し、誤って貼着しないようにするのが望ましい。
【００３７】
連結装置６０の本体部２１は、鍔部２４の先端側に介在物７０が外嵌される外嵌部８０が設けられている。外嵌部８０及び挿入支持部２５は、その外径が介在物７０の孔径よりも若干小さい。外嵌部８０は、その外周面側に鍔部２４の裏面側から挿入支持部２５の長手方向へ延設した案内用凸条８１が形成されている。案内用凸条８１は、互いに適宜間隔だけ離した複数本で構成される。案内用凸条８１は、その突出高さ寸法（凸寸法）が鍔部２４に近づくにつれて増加するように傾斜してあり、鍔部２４近傍で介在物７０の孔径と略同一の外径を有する。
【００３８】
本体部２１の外嵌部８０で介在物７０を外嵌するには、先ず、介在物７０のいずれか一方の粘着シート７２のセパレート紙を剥がして、本体部２１の先端側に介在物７０の内孔を挿通して、介在物７０を案内用凸条８１で案内して、介在物７０の裏面側の粘着シート７２を鍔部２４の裏面側に貼り付ける。なお連結装置６０は、予め介在物７０を鍔部２４に貼着しておくことも可能である。この挿通の際に、外嵌部８０及び挿入支持部２５の外径が介在物７０の孔径よりも小さいから、裏面側の粘着シート７２が本体部２１に貼着しにくいので、介在物７０を外嵌しやすい。又、この挿通の際に、案内用凸条８１が介在物７０の孔と外嵌部８０との間に隙間を形成した状態で介在物７０を案内するので、外嵌部８０に介在物７０が接触して貼着することが少ない。又、この挿通の際に、前記案内用凸条８１は鍔部２４近傍で介在物７０の孔径と略同一の外径を有するので、介在物７０が鍔部２４に位置ズレしないように確実に案内できる。又、この挿通の後に、介在物７０の他方の粘着シート７２のセパレート紙を剥がさず残したままにし、連結作業のときに剥がすようにすれば、連結装置５０が誤って貼着するのを防げる。なお、予め介在物７０を手洗い器２の取付孔２ａの周縁表側２ａ−１に貼着させておき、後に、本体部２１の先端側を介在物７０の内孔に挿通して、鍔部２４を介在物７０に貼着させることも可能である。
【００３９】
連結装置５０は、この他、介在物７０を省略し、鍔部２４の当接面を接着剤を塗りつける等して粘着面とし、引寄せ用ボルト２３を回転させたときに本体部２１が回転しないように鍔部２４の裏面側を一方の連結対象物（手洗い器２）に貼着することもある。このように構成すれば、介在物７０が無くても、本体部２１の共回りを防ぐ連結構造を得ることができる。
【００４０】
上記相違点以外の構成は、第１の実施の形態における本発明連結構造１０及び連結装置２０に実質的に同一であり、図８〜図１０に記載された符号のうち図１〜図７（第１の実施の形態）に記載された符号と同一のものは第１の実施の形態で説明したものと同一の構成部材を示す。
【図面の簡単な説明】
【００４１】
【図１】本発明連結構造の第１の実施の形態を示すものであって、手洗い装置１を部分的に断面し、一方の連結対象物（手洗い器２）と他方の連結対象物（取付用背板３）とを連結装置２０で連結した状態を示す縦断面図である。
【図２】同実施の形態において、手洗い器２を裏面側となる他方側から見た斜視図であって、同図右下側に取付孔２ａと、該取付孔２ａに挿着される前の連結装置２０とが分離して示されており、同図左下側に取付孔２ａに既に挿着された後の連結装置２０が示されている。
【図３】同実施の形態において、手洗い装置１の要部を拡大した拡大縦断面図であって、図（Ａ）は挿着された本体部２１に引寄せ用ボルト２３を挿通する前の状態を示したものであり、図（Ｂ）は引寄せ用ボルト２３を本体部２１に挿通した後、係止部２７の押圧面２７ｃに当接させて押圧した状態を示したものであって、実線で示す係止部２７は収納状態にあり、破線で示す係止部２７は収納状態から回動して突出状態に向かう途中である。
【図４】同実施の形態において、連結装置２０の分解斜視図であり、図中左から右に向かって順に本体部２１、ワッシャー２２及び引寄せ用ボルト２３が図示されている。
【図５】同実施の形態において、連結装置２０の本体部２１の分解斜視図である。
【図６】同実施の形態において、連結装置２０の要部を拡大した拡大斜視図であり、引寄せ用ボルト２３を本体部２１に挿通して係止部２７に押し付け、係止部２７を突出状態にした様子を示したものである。
【図７】同実施の形態において、一方の連結対象物（手洗い器２）と他方の連結対象物（取付用背板３）とを破断し、本発明連結構造１０の要部を拡大した斜視図であって、連結装置２０が一方の連結対象物（手洗い器２）の取付孔２ａの周縁部一方側２ａ−２と他方の連結対象物（取付用背板３）の取付孔３ａの周縁部他方側３ａ−１とを突出状態の係止部２７と引寄せ用ボルト２３の頭部とで挟持して両方の連結対象物２、３を連結した状態を示すものである。
【図８】本発明連結構造の第２の実施の形態を示すものであって、手洗い装置１を部分的に断面し、一方の連結対象物（手洗い器２）と他方の連結対象物（取付用背板３）とを連結装置６０を用いて連結した状態を示す縦断面図である。
【図９】同実施の形態において、一方の連結対象物（手洗い器２）と他方の連結対象物（取付用背板３）とを破断し、本発明連結構造５０の要部を拡大して示した斜視図であって、連結装置６０により一方の連結対象物（手洗い器２）の取付孔２ａの周縁部一方側２ａ−２と他方の連結対象物（取付用背板３）の取付孔３ａの周縁部他方側３ａ−１とを突出状態の係止部２７と引寄せ用ボルト２３の頭側とで挟持して連結した状態を示すものである。
【図１０】同実施の形態において、連結装置６０を示すものであり、図（Ａ）は連結装置６０の本体部２１に外嵌した介在物７０を添着した状態を示す斜視図であって係止部２７を突出状態にしたものであり、図（Ｂ）は連結装置６０の本体部２１と介在物７０とを分離した分解斜視図であって収納状態の係止部２７を示すものである。
【符号の説明】
【００４２】
２…手洗い器  ２ａ…取付孔  ２ａ−１…周縁表側  ３…取付用背板  ３ａ…取付孔
２１…本体部  ２３…引寄せ用ボルト  ２４…鍔部  ２５…挿入支持部  ２６…嵌入部
２７…係止部  ２７ａ…雌ねじ部
Ａ…他方側  Ｂ…一方側
【図１】
2008144845.tif 000003
【図２】
2008144845.tif 000004
【図３】
2008144845.tif 000005
【図４】
2008144845.tif 000006
【図５】
2008144845.tif 000007
【図６】
2008144845.tif 000008
【図７】
2008144845.tif 000009
【図８】
2008144845.tif 000010
【図９】
2008144845.tif 000011
【図１０】
2008144845.tif 000012